【手続補正書】
【提出日】平成17年9月27日(2005.9.27)
【手続補正１】
【補正対象書類名】特許請求の範囲
【補正対象項目名】全文
【補正方法】変更
【補正の内容】
【特許請求の範囲】
【請求項１】
器具ハウジング（２８、１２８、２２８）と、
前進位置と後退位置との間で移動するように器具ハウジング（２８、１２８、２２８）内に摺動可能に受入れられたプランジャ（３０、１３０、２３０）と、
該プランジャ（３０、１３０、２３０）を後退位置から前進位置へと押圧ためのスプリング（３６、１３６、２３６）を備えたドライブとを有する、皮下注入セット（１４、１１４、２１４）の中空カニューレ（２６、１２６、２２６）を患者の皮膚を通して経皮配置するインジェクタ器具（１０、１１０、２１０）において、
プランジャ（３０、１３０、２３０）には実質的に着脱不可能に挿入針（１２、１１２、２１２）が固定されており、該挿入針（１２、１１２、２１２）は、これを備えたプランジャ（３０、１３０、２３０）が後退位置から前進位置へと移動したときに経皮配置できるようにカニューレ（２６、１２６、２２６）が配向される位置で、皮下注入セット（１４、１１４、２１４）のカニューレ（２６、１２６、２２６）を受入れかつ支持して、挿入針上に受入れられた皮下注入セット（１４、１１４、２１４）のカニューレ（２６、１２６、２２６）を経皮配置し、
プランジャ（３０、１３０、２３０）に固定された挿入針（１２、１１２、２１２）は、カニューレ（２６、１２６、２２６）の経皮配置を維持している間にカニューレ（２６、１２６、２２６）から除去できることを特徴とするインジェクタ器具。
【請求項２】
前記器具ハウジング（２８、１２８、２２８）は、該器具ハウジングを患者の皮膚に対して所定方向をなすように患者の皮膚に対して配置するための全体として平らな面（２５、１２５、２２５）を形成している前端部を有していることを特徴とする請求項１記載のインジェクタ器具。
【請求項３】
前記プランジャ（３０、１３０、２３０）とは反対側の挿入針（１２、１１２、２１２）の前端部（１２Ａ、１１２Ａ、２１２Ａ）は、プランジャ（３０、１３０、２３０）が後退位置にあるときに、実質的に器具ハウジング（２８、１２８、２２８）内に引込められていることを特徴とする請求項１または２記載のインジェクタ器具。
【請求項４】
前記注入セット（１４、１１４、２１４）はチューブ（１１３）を有し、器具ハウジング（２８、１２８、２２８）は、チューブ（１１３）を収容するための空間、好ましくは環状空間（１１５）を有することを特徴とする請求項１〜３のいずれか１項記載のインジェクタ器具。
【請求項５】
前記ドライブを付勢するためのトリガを更に有することを特徴とする請求項１〜４のいずれか１項記載のインジェクタ器具。
【請求項６】
前記トリガは、指先で押して、プランジャ（３０、１３０、２３０）を後退位置から前進位置へと移動させるドライブを付勢するためのアクチュエータを有していることを特徴とする請求項５記載のインジェクタ器具。
【請求項７】
前記トリガは、プランジャ（３０、１３０、２３０）を後退位置に解放可能にロックするためのロック（５８、１５８、２５８）を有していることを特徴とする請求項５記載のインジェクタ器具。
【請求項８】
前記器具ハウジング（２８、１２８、２２８）およびプランジャ（３０、１３０、２３０）は、前進位置と後退位置との間のプランジャ（３０、１３０、２３０）の移動を案内するための協働係合可能なトラック手段を有していることを特徴とする請求項１〜７のいずれか１項記載のインジェクタ器具。
【請求項９】
前記挿入針（１２、１１２、２１２）は流体の供給が実質的に不可能であることを特徴とする請求項１〜８のいずれか１項記載のインジェクタ器具。
【請求項１０】
前記プランジャ（３０、１３０、２３０）のヘッド（３２、１３２、２３２）は、中空カニューレ（２６、１２６、２２６）を挿入針（１２、１１２、２１２）上に保持するための安全リテーナを更に有し、該安全リテーナは、プランジャ（３０、１３０、２３０）のヘッドが前進位置にあるときに、挿入針（１２、１１２、２１２）からのカニューレ（２６、１２６、２２６）の分離を可能にすることを特徴とする請求項１〜９のいずれか１項記載のインジェクタ器具。
【請求項１１】
前記カニューレ（２６、１２６、２２６）は柔軟で可撓性を有することを特徴とする請求項１〜１０のいずれか１項記載のインジェクタ器具。
【請求項１２】
前記スプリング（１３６）は、プランジャ（１３０）と器具ハウジング（１２８）との間の環状空間内で、プランジャ（１３０）の周囲のそれぞれの部分の回りに延びている多数の個々の細長い可撓性プラスチックストリップからなり、各ストリップにはプランジャ（１３０）および器具ハウジング（１２８）が連結されていることを特徴とする請求項１〜１１のいずれか１項記載のインジェクタ器具。
【請求項１３】
前記ストリップは、プランジャ（１３０）および器具ハウジング（１２８）と一体にモールディング成形されていることを特徴とする請求項１２記載のインジェクタ器具。
【請求項１４】
前記各ストリップは、一端（１３６'）がプランジャ（３０、１３０、２３０）に連結されかつ他端（１３６”）が器具ハウジング（２８、１２８、２２８）に連結されており、各ストリップは、プランジャ（３０、１３０、２３０）の前進位置において本質的に平らでありかつ変形されないことを特徴とする請求項１２記載のインジェクタ器具。
【請求項１５】
前記器具ハウジングは平らなボックス状の形状を有していることを特徴とする請求項１〜１４のいずれか１項記載のインジェクタ器具。
【請求項１６】
前記挿入針（１２、１１２、２１２）は中空でかつプランジャ（３０、１３０、２３０）の近くに側方開口（１２Ｂ、１１２Ｂ）を有していることを特徴とする請求項１〜１５のいずれか１項記載のインジェクタ器具。
【請求項１７】
ハウジングおよび中空カニューレ（２６、１２６、２２６）を備えた注入セット（１４、１１４、２１４）と、請求項１〜１６のいずれか１項記載のインジェクタ器具とを有し、注入セット（１４、１１４、２１４）は挿入針（１２、１１２、２１２）により受入れられかつ支持されることを特徴とするインジェクタ器具組立体。
【請求項１８】
前記注入セット（１４、１１４、２１４）は、薬剤を中空カニューレ（２２６、１２６、２２６）に供給するチューブ（１１３）を有し、該チューブ（１１３）を収容する空間は、好ましくは環状空間（１１５）であることを特徴とする請求項４および１７記載のインジェクタ器具組立体。
【請求項１９】
剥離可能なカバー部材（９４、１９４、２２７、４２、１４２）が器具ハウジング（２８、１２８、２２８）の少なくとも１つの端部を覆って、インジェクタ器具組立体の使用前の注入セット（１４、１１４、２１４）の殺菌状態を確保することを特徴とする請求項１７および１８記載のインジェクタ器具組立体。
【請求項２０】
カバー部材（９４、１９４、２２７、４２、１４２）上に組立体の保管寿命に関する表示が印刷されていることを特徴とする請求項１９記載のインジェクタ器具組立体。
【請求項２１】
前記挿入針（１２、１１２、２１２）上に受入れられる注入セット（１４、１１４、２１４）を覆いかつ注入セット（１４、１１４、２１４）を除去した後に挿入針（１２、１１２、２１２）を覆うための器具ハウジング（２８、１２８、２２８）の前端部のカバー（４２、１４２、２２７）を更に有していることを特徴とする請求項１７〜２０のいずれか１項記載のインジェクタ器具組立体。
【請求項２２】
モールディング成形された器具ハウジングと、
前進位置と後退位置との間で移動できるように器具ハウジング内に摺動可能に受入れられたモールディング成形プランジャと、
後退位置から前進位置へとプランジャを押圧するドライブとを有し、
該ドライブは多数の個々の細長い可撓性プラスチック部材（１３６）からなり、各部材にはプランジャおよび器具ハウジングが連結されていることを特徴とするインジェクタ器具。
【請求項２３】
前記各細長い可撓性プラスチック部材は、一端（１３６'）がプランジャに連結されかつ他端（１３６”）が器具ハウジングに連結されており、各部材は、プランジャの前進位置において本質的に平らでありかつ変形されないことを特徴とする請求項２２記載のインジェクタ器具。
【請求項２４】
前記各部材（１３６）はストリップとして形成され、少なくとも２つのこのようなストリップを有し、各ストリップはプランジャ（３０、１３０、２３０）の周囲のそれぞれの部分の回りに延びていることを特徴とする請求項２２および２３記載のインジェクタ器具。
【請求項２５】
前記各部材（１３７）は、プランジャ（３０、１３０、２３０）と器具ハウジング（２８、１２８、２２８）との間の環状空間内で延びていることを特徴とする請求項２２〜２４のいずれか１項記載のインジェクタ器具。
【請求項２６】
前記プランジャは、該プランジャが後退位置から前進位置へと移動するときに、注入セットの挿入針が経皮配置される方向の位置に注入セットを受入れかつ支持する支持構造を有し、該支持構造は挿入針の経皮配置を維持する間に注入セットから除去されることを特徴とする、患者の皮膚を通して皮下注入セットの挿入針を経皮配置するのに使用される請求項２２〜２５のいずれか１項記載のインジェクタ器具。
【請求項２７】
前記挿入針は実質的に着脱不可能にプランジャに固定され、挿入針は、プランジャが後退位置から前進位置へと移動するときに、カニューレが経皮配置される方向の位置に注入セットのカニューレを受入れかつ支持し、挿入針はカニューレの経皮配置を維持する間に注入セットから除去されることを特徴とする、挿入針を用いて患者の皮膚を通して皮下注入セットを経皮配置するのに使用される請求項２２〜２６のいずれか１項記載のインジェクタ器具。
【請求項２８】
前記個々の細長い可撓性プラスチック部材（１３６）は、プランジャおよび器具ハウジングと一体にモールディング成形されていることを特徴とする請求項２２〜２６のいずれか１項記載のインジェクタ器具。